【手続補正書】
【提出日】平成29年10月20日(2017.10.20)
【手続補正１】
【補正対象書類名】特許請求の範囲
【補正対象項目名】全文
【補正方法】変更
【補正の内容】
【特許請求の範囲】
【請求項１】
光を使用して場面を撮像する撮像デバイスであって、
複数の光ファイバであって、場面によって発せられる光を直接収集し、前記収集された光を前記光ファイバにおいてセグメントで移送する複数の光ファイバと、
波面変調器であって、前記波面変調器は、前記光ファイバからセグメントで収集された光を受け取るように位置し、これにより、前記光ファイバにおいてセグメントで収集された光が、前記波面変調器に入射し、前記波面変調器は、ある光学位相を各光ファイバからの各個々の収集された光に加算または減算することにより、光ファイバあたり１つのセグメントの位相変調光セグメントを生成する、波面変調器と、
前記波面変調器から位相変調光セグメントを受け取るように位置する撮像アレイと、
前記波面変調器に結合され、前記波面変調器を制御する制御ユニットと
を備え、
前記波面変調器は、複数の独立制御可能なピクセルを有する変形可能ミラーまたは空間光変調器を含み、前記複数の独立制御可能なピクセルは、前記制御ユニットの制御コマンドに応答して、ある空間可変量の光学位相を位相変調光セグメントに加算または減算し、
前記制御ユニットは、前記撮像アレイに結合され、前記撮像アレイの出力に応答して、フィードバック制御を前記独立制御可能なピクセルのそれぞれに提供する、デバイス。
【請求項２】
前記波面変調器は、空間光変調器を含み、前記空間光変調器において、独立制御可能なピクセルが前記撮像アレイによって受け取られる光を伝送する、請求項１に記載のデバイス。
【請求項３】
前記波面変調器は、空間光変調器を含み、前記空間光変調器において、独立制御可能なピクセルが前記撮像アレイによって受け取られる光を反射する、請求項１に記載のデバイス。
【請求項４】
前記制御ユニットは、前記撮像アレイの出力に基づくメトリックを使用して、前記波面変調器の前記独立制御可能なピクセルのそれぞれへの前記フィードバック制御を発生させるように動作する、請求項１に記載のデバイス。
【請求項５】
前記制御ユニットは、ウォシュコード（Ｗａｓｈ  ｃｏｄｅ）に基づいて、それぞれ前記波面変調器の前記独立制御可能なピクセルのためのフィードバック制御信号を発生させるように動作する、請求項４に記載のデバイス。
【請求項６】
照明光を生成し、前記場面を照明し、前記光ファイバによって直接収集される光を生成する光源を備え、前記照明光は、コヒーレント光または部分的コヒーレント光である、請求項１に記載のデバイス。
【請求項７】
光を使用して場面を撮像する内視鏡であって、
照明光を生成するための１つまたは複数の光源と、
ファイバ束であって、遠位終端端部および近位終端端部と、前記近位終端端部において前記１つまたは複数の光源からの前記照明光を受け取り、前記照明光を前記遠位終端端部に誘導し、撮像されるべき場面を照明する１つまたは複数の照明光ファイバと、前記場面からの光を前記遠位終端端部の中に収集するためのレンズ効果要素を使用せずに、前記遠位終端端部において前記場面から光を直接収集し、前記収集された光を前記近位終端端部に誘導する複数の撮像光ファイバとを含むファイバ束と、
それぞれ独立制御可能な位相を生成するための複数の独立制御可能な位相変調ピクセルを含む波面変調器であって、前記波面変調器は、異なる撮像光ファイバから出射する前記収集された光が、それぞれ、前記波面変調器の異なる位相変調ピクセルに衝突させられ、それぞれ、前記衝突する撮像光ファイバに対応する位相変調光セグメントを生成するように、前記ファイバ束の近位終端端部に対して位置付けられ、前記収集された光を前記撮像光ファイバから受け取る、波面変調器と、
前記位相変調光セグメントを前記波面変調器から受け取るように位置する光学検出器の光学センサアレイと
を備える、内視鏡。
【請求項８】
前記波面変調器は、変形可能ミラーを含み、前記変形可能ミラーは、光学反射によって前記位相変調光セグメントを生成する複数の独立制御可能な反射体ピクセルを有する、請求項７に記載の内視鏡。
【請求項９】
前記波面変調器は、空間光変調器を含み、前記空間光変調器において、独立制御可能なピクセルが、光を伝送し、前記位相変調光セグメントを生成する、請求項７に記載の内視鏡。
【請求項１０】
前記波面変調器に結合され、前記波面変調器を制御する制御ユニットを備え、
前記波面変調器の前記独立制御可能なピクセルは、前記制御ユニットの制御コマンドに応答して、ある空間可変量の光学位相を位相変調光セグメントに加算または減算する、請求項７に記載の内視鏡。
【請求項１１】
前記制御ユニットは、前記光学センサアレイの前記光学検出器の出力に基づくメトリックを使用して、前記波面変調器の前記独立制御可能なピクセルのそれぞれへのフィードバック制御を発生させるように動作する、請求項１０に記載の内視鏡。
【請求項１２】
前記制御ユニットは、ウォシュコード（Ｗａｓｈ  ｃｏｄｅ）に基づいて、それぞれ前記波面変調器の前記独立制御可能なピクセルのためのフィードバック制御信号を発生させるように動作する、請求項１１に記載の内視鏡。
【請求項１３】
各光源が、撮像されるべき前記場面を照明するためのコヒーレント光または部分的コヒーレント光を生成する、請求項７に記載の内視鏡。
【請求項１４】
前記ファイバ束は、前記照明光ファイバおよび撮像光ファイバを遠位終端端部において包囲する剛性シースを含む、請求項７に記載の内視鏡。
【請求項１５】
前記ファイバ束は、前記照明光ファイバおよび撮像光ファイバを前記遠位終端端部において包囲する可撓性シースを含む、請求項７に記載の内視鏡。
【請求項１６】
前記内視鏡は、前記遠位終端端部を使用して人の心臓の区域を撮像する循環器科撮像のために構成される、請求項７に記載の内視鏡。
【請求項１７】
前記内視鏡は、前記遠位終端端部を使用して人の肺の区域を撮像する呼吸器科撮像のために構成される、請求項７に記載の内視鏡。
【請求項１８】
前記内視鏡は、前記遠位終端端部を使用して人の消化管の区域を撮像する消化器科撮像のために構成される、請求項７に記載の内視鏡。
【請求項１９】
前記内視鏡は、前記遠位終端端部を使用して人の尿路の区域を撮像する泌尿器科撮像のために構成される、請求項７に記載の内視鏡。
【請求項２０】
前記内視鏡は、前記遠位終端端部を使用して人の内分泌腺の区域を撮像する内分泌科撮像のために構成される、請求項７に記載の内視鏡。
【請求項２１】
前記内視鏡は、前記遠位終端端部を使用して人の眼の区域を撮像する眼科撮像のために構成される、請求項７に記載の内視鏡。
【請求項２２】
前記波面変調器と前記光学センサアレイとの間に位置し、前記位相変調光セグメントを前記光学センサアレイ上に投影するレンズをさらに備える、請求項７に記載の内視鏡。
【手続補正２】
【補正対象書類名】明細書
【補正対象項目名】０００１
【補正方法】変更
【補正の内容】
【０００１】
（関連出願への相互参照）
本特許文書は、２０１４年１０月１７日にＦｅｉｌｉｎｇ  Ｗａｎｇによって出願された米国仮特許出願第６２／１２２，３２０号（発明の名称「ＬＥＮＳＬＥＳＳ  ＥＮＤＯＳＣＯＰＥ  ＡＮＤ  ＯＴＨＥＲ  ＩＭＡＧＩＮＧ  ＤＥＶＩＣＥＳ」）の利益および優先権を主張する、２０１５年１０月１９日にＦｅｉｌｉｎｇ  Ｗａｎｇによって出願された国際特許出願第ＵＳ２０１５／０５６２４６号（発明の名称「ＬＥＮＬＥＳＳ  ＥＮＤＯＳＣＯＰＥ  ＡＮＤ  ＯＴＨＥＲ  ＩＭＡＧＩＮＧ  ＤＥＶＩＣＥＳ」）の利益および優先権を主張する国内段階の出願である。上述した特許出願の内容全体は、本特許文書の開示の一部として参照によって援用される。
【手続補正３】
【補正対象書類名】明細書
【補正対象項目名】０００７
【補正方法】変更
【補正の内容】
【０００７】
そのような内視鏡は、異なる医療撮像用途のために構成されることができ、いくつかの実施例として、遠位終端端部を使用して人の心臓の区域を撮像する循環器科撮像、遠位終端端部を使用して人の肺の区域を撮像する呼吸器科撮像、遠位終端端部を使用して人の消化管の区域を撮像する消化器科撮像、遠位終端端部を使用して人の尿路の区域を撮像する泌尿器科撮像、遠位終端端部を使用して人の内分泌腺の区域を撮像する内分泌科撮像、および遠位終端端部を使用して網膜等の人の眼の内部区域を撮像する眼科撮像が挙げられる。
例えば、本願は以下の項目を提供する。
（項目１）
光を使用して場面を撮像する撮像デバイスであって、
複数の光ファイバであって、場面によって発せられる光を直接収集し、前記収集された光を前記光ファイバにおいてセグメントで移送する複数の光ファイバと、
波面変調器であって、前記波面変調は、前記光ファイバからセグメントで収集された光を受け取るように位置し、これにより、前記光ファイバにおいてセグメントで収集された光が、前記波面変調器に入射し、前記波面変調は、ある光学位相を各光ファイバからの各個々の収集された光に加算または減算することにより、光ファイバあたり１つのセグメントの位相変調光セグメントを生成する、波面変調器と、
前記波面変調器から位相変調光セグメントを受け取るように位置する撮像アレイと
を備える、デバイス。
（項目２）
前記波面変調器に結合され、前記波面変調器を制御する制御ユニットを備え、
前記波面変調器は、複数の独立制御可能なピクセルを有する変形可能ミラーまたは空間光変調器を含み、前記複数の独立制御可能なピクセルは、前記制御ユニットの制御コマンドに応答して、ある空間可変量の光学位相を位相変調光セグメントに加算または減算する、項目１に記載のデバイス。
（項目３）
前記波面変調器は、空間光変調器を含み、前記空間光変調器において、独立制御可能なピクセルが前記撮像アレイによって受け取られた光を伝送する、項目１または２に記載のデバイス。
（項目４）
前記波面変調器は、空間光変調器を含み、前記空間光変調器において、独立制御可能なピクセルが前記撮像アレイによって受け取られた光を反射させる、項目１または２に記載のデバイス。
（項目５）
前記制御ユニットは、前記撮像アレイに結合され、前記撮像アレイの出力に応答して、フィードバック制御を前記独立制御可能なピクセルのそれぞれに提供する、項目２に記載のデバイス。
（項目６）
前記制御ユニットは、前記撮像アレイの出力に基づくメトリックを使用して、前記波面変調器の前記独立制御可能なピクセルのそれぞれへの前記フィードバック制御を発生させるように動作する、項目５に記載のデバイス。
（項目７）
前記制御ユニットは、ウォシュコード（Ｗａｓｈ  ｃｏｄｅ）に基づいて、それぞれ前記波面変調器の前記独立制御可能なピクセルのためのフィードバック制御信号を発生させるように動作する、項目６に記載のデバイス。
（項目８）
照明光を生成し、前記場面を照明し、前記光ファイバによって直接収集される光を生成する光源を備え、前記照明光は、コヒーレント光または部分的コヒーレント光である、項目１または２に記載のデバイス。
（項目９）
光を使用して場面を撮像する内視鏡であって、
照明光を生成するための１つまたは複数の光源と、
ファイバ束であって、遠位終端端部および近位終端端部と、前記近位終端端部において前記１つまたは複数の光源からの前記照明光を受け取り、前記照明光を前記遠位終端端部に誘導し、撮像されるべき場面を照明する１つまたは複数の照明光ファイバと、前記場面からの光を前記遠位終端端部の中に収集するためのレンズ効果要素を使用せずに、前記遠位終端端部において前記場面から光を直接収集し、前記収集された光を前記近位終端端部に誘導する複数の撮像光ファイバとを含むファイバ束と、
それぞれ独立制御可能な位相を生成する複数の独立制御可能な位相変調ピクセルを含む波面変調器であって、前記波面変調器は、異なる撮像光ファイバから出射する前記収集された光が、それぞれ、前記波面変調器の異なる位相変調ピクセルに衝突させられ、それぞれ、前記撮像光ファイバに対応する位相変調光セグメントを生成するように、前記ファイバ束の近位終端端部に対して位置付けられ、前記収集された光を前記撮像光ファイバから受け取る、波面変調器と、
前記位相変調光セグメントを前記波面変調器から受け取るように位置する光学検出器の光学センサアレイと
を備える、内視鏡。
（項目１０）
前記波面変調器は、変形可能ミラーを含み、前記変形可能ミラーは、光学反射によって前記位相変調光セグメントを生成する複数の独立制御可能な反射体ピクセルを有する、項目９に記載の内視鏡。
（項目１１）
前記波面変調器は、空間光変調器を含み、前記空間光変調器において、独立制御可能なピクセルが、光を伝送し、前記位相変調光セグメントを生成する、項目９に記載の内視鏡。
（項目１２）
前記波面変調器に結合され、前記波面変調器を制御する制御ユニットを備え、
前記波面変調器の前記独立制御可能なピクセルは、前記制御ユニットの制御コマンドに応答して、ある空間可変量の光学位相を位相変調光セグメントに加算または減算する、項目９に記載の内視鏡。
（項目１３）
前記制御ユニットは、前記光学センサアレイの前記光学検出器の出力に基づくメトリックを使用して、前記波面変調器の前記独立制御可能なピクセルのそれぞれへのフィードバック制御を発生させるように動作する、項目１２に記載の内視鏡。
（項目１４）
前記制御ユニットは、ウォシュコード（Ｗａｓｈ  ｃｏｄｅ）に基づいて、それぞれ前記波面変調器の前記独立制御可能なピクセルのためのフィードバック制御信号を発生させるように動作する、項目１３に記載の内視鏡。
（項目１５）
各光源が、撮像されるべき前記場面を照明するためのコヒーレント光または部分的コヒーレント光を生成する、項目９に記載の内視鏡。
（項目１６）
前記ファイバ束は、前記照明光ファイバおよび撮像光ファイバを遠位終端端部において包囲する剛性シースを含む、項目９に記載の内視鏡。
（項目１７）
前記ファイバ束は、前記照明光ファイバおよび撮像光ファイバを前記遠位終端端部において包囲する可撓性シースを含む、項目９に記載の内視鏡。
（項目１８）
前記内視鏡は、前記遠位終端端部を使用して人の心臓の区域を撮像する循環器科撮像のために構成される、項目９に記載の内視鏡。
（項目１９）
前記内視鏡は、前記遠位終端端部を使用して人の肺の区域を撮像する呼吸器科撮像のために構成される、項目９に記載の内視鏡。
（項目２０）
前記内視鏡は、前記遠位終端端部を使用して人の消化管の区域を撮像する消化器科撮像のために構成される、項目９に記載の内視鏡。
（項目２１）
前記内視鏡は、前記遠位終端端部を使用して人の尿路の区域を撮像する泌尿器科撮像のために構成される、項目９に記載の内視鏡。
（項目２２）
前記内視鏡は、前記遠位終端端部を使用して人の内分泌腺の区域を撮像する内分泌科撮像のために構成される、項目９に記載の内視鏡。
（項目２３）
前記内視鏡は、前記遠位終端端部を使用して人の眼の区域を撮像する眼科撮像のために構成される、項目９に記載の内視鏡。
（項目２４）
前記波面変調器と前記光学センサアレイとの間に位置し、前記位相変調光セグメントを前記光学センサアレイ上に投影するレンズをさらに備える、項目９に記載の内視鏡。